(57)【特許請求の範囲】
【請求項１】
用紙を搬送する搬送用ローラと、この搬送用ローラを回転可能に保持するブラケットと、このブラケットを回動可能に支持するカバー体と、このカバー体を装置本体に対して回動可能に支持して、前記装置本体の収納部を開閉可能にし、前記ブラケットを、前記カバー体の開閉動作と共に前記収納部に対して出し入れ可能にした用紙搬送装置において、前記ブラケットに、前記カバー体に対する回動移動時に前記カバー体の一部に係止する突起を設けると共に、該ブラケットを回転させて前記突起と前記カバー体との係止を解除し、該ブラケットを前記カバー体の外部に位置させる摘みを設けたことを特徴とする用紙搬送装置。
【請求項２】
前記ブラケットを回転させて前記突起と前記カバー体との係止を解除するとき、前記摘みの回動力を受けて前記ブラケットの一部が撓んで当該係止を解除するように構成したことを特徴とする請求項１記載の用紙搬送装置。
【発明の詳細な説明】
【０００１】
【発明の属する技術分野】
本発明は、ファクシミリ装置，複写機などの用紙に対して画像を形成する画像形成部に適用され、用紙を所定の方向へ搬送するためのローラ対からなる用紙搬送装置に関するものである。
【０００２】
【従来の技術】
複写機などの構成部材における消耗品は、一般ユーザでも容易にその交換を行うことができるように、ドライバーなどの工具を使用しないで交換することができるような取付機構になっている。
【０００３】
通常、ネジを用いないで部品を交換することが可能な取付構造では、取付部に対して交換対象の部品を引っ張れば取り外せ、また部品を嵌挿すれば取り付けることができるようにしてある。
【０００４】
【発明が解決しようとする課題】
前記従来の取付構造において、余り弱い引張力によって部品が簡単に取り外せるようでは、通常の使用状態でも容易に外れてしまうおそれがあり、そのため、ある程度の引張力を加えなければ、部品を取り外せないように設計する必要がある。
【０００５】
しかし、交換対象の部品が大きくかつ収納スペースが広ければ、交換作業において作業者の指などが部品に十分に掛かり、大きな引張力を加えることが可能であるが、部品が小さくかつ収納スペースが狭いと、十分な力を加えることができないために、部品の取り外しおよび取り付けを容易に行うことができず、無理をすると指などにけがをするおそれもある。
【０００６】
本発明は、前記従来の問題を解決し、簡単な構成によって、容易に搬送用ローラの交換を可能にした用紙搬送装置を提供することを目的とする。
【０００７】
【課題を解決するための手段】
前記目的を達成するため、本発明は、用紙を搬送する搬送用ローラと、この搬送用ローラを回転可能に保持するブラケットと、このブラケットを回動可能に支持するカバー体と、このカバー体を装置本体に対して回動可能に支持して、前記装置本体の収納部を開閉可能にし、前記ブラケットを、前記カバー体の開閉動作と共に前記収納部に対して出し入れ可能にした用紙搬送装置において、前記ブラケットに、前記カバー体に対する回動移動時に前記カバー体の一部に係止する突起を設けると共に、該ブラケットを回転させて前記突起と前記カバー体との係止を解除し、該ブラケットを前記カバー体の外部に位置させる摘みを設けたものであり、この構成によって、搬送用ローラの交換時には、ブラケットを回動させて搬送用ローラを、摘みの操作により装置本体の収納部から外部に出すことができるため、外部の広い作業スペースにおいて交換作業を行うことができる。
【０００９】
また、本発明は、前記ブラケットを回転させて前記突起と前記カバー体との係止を解除するとき、前記摘みの回動力を受けて前記ブラケットの一部が撓んで当該係止を解除するように構成したものであり、この構成によって、ブラケットにおける円滑なる回動移動と係止解除時のクリック感の付与が行われることになり、しかも、容易にブラケットが収納状態から回動してしまうことを防ぐことができる。
【００１０】
【発明の実施の形態】
以下、本発明の好適な実施形態を図面に基づいて説明する。
【００１１】
図２は本発明の一実施形態を説明するための原稿読取装置の構成図であり、１は装置本体、２は装置本体１の上部に設置された原稿セット台、３は原稿セット台２にセットされる原稿を給紙するためのピックアップローラ、４，５は給紙されてきた原稿を１枚ずつ分離搬送するための公知のフィードローラと分離ローラ、６は原稿情報を光学的に読み取る公知の光学式読取センサ、７は原稿を光学式読取センサ６に搬送する読取ローラ、８は原稿を排紙部９に排出する排紙ローラである。なお、図中の矢印は原稿の搬送路を示す。
【００１２】
図１は図２における分離ローラ５の取付部分を詳細に示す分解斜視図であり、10は装置本体１の上部に設置された収納部であって、この収納部10は、装置本体１に対して一方の排紙ローラ８の支軸８aに回動可能に支持されたカバー体11を備え、カバー体11には、分離ローラ５，一方の読取ローラ７，前記一方の排紙ローラ８などが保持されている。さらにカバー体11の両側には保持枠体12が設置され、この保持枠体12に回動可能に支持された回転軸13の略中央にブラケット14が固定されており、このブラケット14に分離ローラ５が設置されている。回転軸13の一端部には、回転軸13を外部から回動させることができるように、摘み15が取り付けられている。
【００１３】
ブラケット14は、対向する一対の腕部20を有し、各腕部20の一端部には回転軸13が固定され、各腕部20の他端部には係止溝21が形成されている。各係止溝21の開口21aから、分離ローラ５の両端から突出した中央軸22が溝内部に着脱可能に嵌入される。さらに各腕部20の一端上部(図では左上端)には、ストッパ突起23が突設されている。
【００１４】
図３はフィードローラ４と分離ローラ５のセット状態を示す説明図であり、分離ローラ５は、ブラケット14に保持された状態でフィードローラ４に接し、公知のように用紙(図示せず)と、フィードローラ４とのニップ部Ｎにおける摩擦抵抗の差によって用紙の重送を防ぐ。
【００１５】
図４，図５は分離ローラ５の交換作業の説明図であり、交換時に作業者は、図３に示す状態から、まずカバー体11を支軸８aを中心にして反時計方向に回動して、装置本体１の収納部10を開放する。すると図４に示すように、分離ローラ５は、ブラケット14と共にカバー体11内に保持された状態で、カバー体11と共に上方に移動する。この状態では、分離ローラ５は、ブラケット14のストッパ突起23がカバー体11の内壁に当接して係止されており、外部には十分出ていない。
【００１６】
この状態から、作業者は、図１に示す摘み15を回動させることによって、回転軸13を時計方向へ回動させると、図５に示すように、ブラケット14が回転軸13を中心にして時計方向へ回動し、分離ローラ５はカバー体11の外部に出る。ブラケット14の前記回動移動の途中において、ストッパ突起23がカバー体11の内壁によって係止されていても、ブラケット14自体あるいは回転軸13が撓むことによって、係止関係は解除される。この係止解除時に、作業者はクリック感を得て、解除が完全になされたことを認識することができる。
【００１７】
図５の状態において、分離ローラ５およびブラケット14の係止溝21の開口21aが、装置本体１の収納部10部分における外部に位置しているため、作業者の指を分離ローラ５に十分掛けることができ、しかも分離ローラ５の取り外し方向にも十分なスペースが存在するので、係止溝21における分離ローラ５の中央軸22に対する挾持力に抗して、分離ローラ５をブラケット14から容易に引き抜くことができる。
【００１８】
分離ローラ５の交換が終わり復帰させるとき、作業者は、図５に示す状態から、摘み15によって回転軸13を反時計方向へ回動させると、図４に示すように、ブラケット14が回転軸13を中心にして反時計方向へ回動し、分離ローラ５はカバー体11内に入る。ブラケット14の前記回動移動の途中において、ストッパ突起23がカバー体11の内壁によって係止されるが、前記と同様にブラケット14自体あるいは回転軸13が撓むことによって、係止関係は解除される。この係止解除時に、作業者はクリック感を得て、収納が完全になされたことを認識することができる。
【００１９】
図４の収納状態から、作業者は、カバー体11を支軸８aを中心にして時計方向に回動すれば、カバー体11が装置本体１の収納部10を閉鎖し、図３に示すセット状態に戻すことができる。
【００２０】
なお、本実施形態において分離ローラ５部分における取り付け構造を例示したが、他のローラ部分でも同様の取り付け構造を採用することが可能である。
【００２１】
【発明の効果】
以上説明したように、本発明の用紙搬送装置によれば、簡単な構成によって、一般ユーザでも搬送用ローラを所定位置に対して、外部に出すことができるため、外部の広い作業スペースにおいて、容易かつ確実に取り外したり、取り付けることができるという実際的な効果が得られる。
【図面の簡単な説明】
【図１】本発明の一実施形態である原稿読取装置における分離ローラの取付部分を示す分解斜視図である。
【図２】本発明の一実施形態を説明するための原稿読取装置の構成図である。
【図３】本実施形態の装置におけるフィードローラと分離ローラのセット状態を示す説明図である。
【図４】本実施形態の装置において分離ローラを交換する作業途中の状態を示す説明図である。
【図５】本実施形態の装置における分離ローラ交換時の状態を示す説明図である。
【符号の説明】
１…装置本体、  ４…フィードローラ、  ５…分離ローラ、  10…収納部、  11…カバー体、  12…保持枠体、  13…回転軸、  14…ブラケット、  15…摘み、  20…ブラケットの腕部、  21…係止溝、  21a…溝開口、  22…中央軸、  23…ストッパ突起。
【図１】
0003743785.tif 000002
【図２】
0003743785.tif 000003
【図３】
0003743785.tif 000004
【図４】
0003743785.tif 000005
【図５】
0003743785.tif 000006